(57)【特許請求の範囲】
【請求項１】
親量水器を介して水道本管に接続した立給水管に、複数の枝管と各家庭用の蛇口をそれぞれ接続し、水を満たした上記給水管内に圧縮空気送り込み装置からの圧縮空気を送り込んでその内部を洗浄する直圧式給水装置の給水管内部洗浄方法において、
上記親量水器を取外す工程と、この取り外し部に、取外し前の親量水器の水道本管側に位置する本管側配管に配管を介して接続する仮受水タンクと、一端の配管を上記仮受水タンクに接続し他端の配管を立給水管側に接続した加圧ポンプとからなる加圧送水装置を設ける工程と、上記家庭用の蛇口の1つを開き、上記加圧ポンプにより上記受水タンクの水を加圧して上記立給水管に送り込みながら、上記圧縮空気送り込み装置から上記立給水管に圧縮空気を送り込む工程とからなることを特徴とする直圧式給水装置の給水管内部洗浄方法。
【発明の詳細な説明】
【０００１】
【発明の属する技術分野】
本発明は、直圧式給水装置における立給水管の内部を洗浄する直圧式給水装置の給水管内部洗浄方法に関する。
【０００２】
【従来の技術】
一般的な給水装置は、建物下部に配置した受水槽と、建物上部に配置した高置水槽間を接続し、高置水槽に上端を接続した立給水管に複数の枝管を接続し、各枝管に家庭用の蛇口をそれぞれ接続して構成されている。また、最近の給水装置として、建物内にほぼ垂直に配置した立給水管の下端を直接水道本管に接続し、立給水管に接続した複数の枝管および各家庭用の蛇口を接続し、水道本管からの圧力で給水するようにした直圧式給水装置が知られている。過去長期にわたって使用されてきた前者の給水装置は、経年使用により立給水管内部に赤錆等が発生することから内部洗浄を行なうのが望ましく、種々の給水管内部洗浄方法が提案されている。例えば、特公平５−８６２７８号公報に記載の給水管内部洗浄方法は、立給水管の最下部に接続した枝管の蛇口にアダプタを介して圧縮空気送り込み装置を取り付け、この圧縮空気送り込み装置から水を満たした立給水管に圧縮空気を送り込んで、立給水管内を洗浄するようにしており、衛生的で比較的簡単に実施することができる効果的な給水管内部洗浄方法である。
【０００３】
【発明が解決しようとする課題】
しかしながら、後者の直圧式給水装置における立給水管の内部洗浄は実施されておらず、何等かの給水管内部洗浄方法が望まれている。ここで、直圧式給水装置においても上述した圧縮空気送り込み装置を用いた給水管内部洗浄方法を適用することが考えられるが、単純には適用できないことが分かった。つまり、一般的な給水装置と同様に、家庭用の蛇口にアダプタを介して圧縮空気送り込み装置を接続し、この圧縮空気送り込み装置から圧縮空気を送り込むと、圧縮空気が水道本管側に逆流することが分かった。
【０００４】
本発明の目的は、圧縮空気を水道本管側に逆流させることなく直圧式給水装置における主給水管を効果的に洗浄することができるようにした直圧式給水装置の給水管内部洗浄方法を提供することにある。
【０００５】
【課題を解決するための手段】
本発明は上記目的を達成するために、親量水器を介して水道本管に接続した立給水管に、複数の枝管と各家庭用の蛇口をそれぞれ接続し、水を満たした上記給水管内に圧縮空気送り込み装置からの圧縮空気を送り込んでその内部を洗浄する直圧式給水装置の給水管内部洗浄方法において、上記親量水器を取外す工程と、この取り外し部に、取外し前の親量水器の水道本管側に位置する本管側配管に配管を介して接続する仮受水タンクと、一端の配管を上記仮受水タンクに接続し他端の配管を立給水管側に接続した加圧ポンプとからなる加圧送水装置を設ける工程と、上記家庭用の蛇口の1つを開き、上記加圧ポンプにより上記受水タンクの水を加圧して上記立給水管に送り込みながら、上記圧縮空気送り込み装置から上記立給水管に圧縮空気を送り込む工程とからなることを特徴とする。
【０００６】
本発明による直圧式給水装置の給水管内部洗浄方法は、上述のように立給水管に加圧送水しながら、圧縮空気送り込み装置から圧縮空気を立給水管に送り込むようにしたため、圧縮空気送り込み装置から圧縮空気を水道本管側に逆流させることなく、立給水管に確実に送り込んで、立給水管内を効果的に洗浄することができる。
【０００７】
【発明の実施の形態】
以下、本発明の実施の形態を図面によって説明する。
【０００８】
図３は、本発明を適用する直圧式給水装置を示す正面図である。
【０００９】
複数階の建物１内にはほぼ垂直に立給水管２が配置されており、このた立給水管２の下端は、親量水器３および止水弁４を介して水道本管５に接続されている。また、立給水管２の中間部には各階に配置した複数の枝管６ａ〜６ｎが接続され、これら各枝管６ａ〜６ｎにはそれぞれ止水弁７ａ〜７ｎおよび家庭用量水器８ａ〜８ｎを介して各家庭用の蛇口９ａ〜９ｎが接続されている。
【００１０】
図１は、本発明の一実施の形態による直圧式給水装置の給水管内部洗浄方法を採用した作業途中状態を示す直圧式給水装置の正面図である。
【００１１】
今、立給水管２および枝管６ａ〜６ｎからなる給水管の洗浄を行なう場合、第一の準備作業として、図１に示した立給水管２の最下部に接続した最下階の枝管６ａの止水弁７ａを閉じて、家庭用量水器８ａを取り外し、その後、図１に示すようにこの取り外し部の立給水管２側に配管１０を介して圧縮空気送り込み装置１１を接続する。圧縮空気送り込み装置１１は、コンプレッサ１２およびコントローラ１３等からなり、コンプレッサ１２により昇圧した圧縮空気をコントローラ１３で所定時間置きに単発的に送り出すものである。またコントローラ１３は、この圧縮空気の所定時間置きの単発的な送り出しを所定時間継続するよう各弁等を制御している。上述した第一の準備作業においては、家庭用の蛇口９ａにアダプタを介して圧縮空気送り込み装置１１を接続しても良いが、家庭用量水器８ａの取り外し部に圧縮空気送り込み装置１１を接続しているため、特定の家庭内に入り込んで行なう必要がなく、この特定の家庭に集中して多大の迷惑を掛けることがない。
【００１２】
次に、第二の準備作業として、図１に示した立給水管２の水道本管５側に位置した止水弁４を閉じて、親量水器３を取り外し、その後、図２の要部拡大図に示すようにこの取り外し部に加圧送水装置１４を取り付ける。加圧送水装置１４は、取外し前の親量水器３の水道本管５側に位置する本管側配管１５に配管１６および取外し後の親量水器３を介して接続した仮受水タンク１７と、この仮受水タンク１７への給水量を制御するように配管１６の端部に設けたボールタップ弁１８と、一端の配管１９を仮受水タンク１７に接続し他端の配管２０を取外し前の親量水器３の立給水管２側に位置する立給水管側配管２１に接続した加圧ポンプ２２とから構成している。ここで配管１６としては、フレキシブルパイプまたはＰＰ管を用いることができる。この第二の準備作業と第一の準備作業は、逆の手順で行なったり、並行して行なっても良い。
【００１３】
これらの準備作業が終了した後、止水弁４を開き、水道本管５から仮受水タンク１７に給水する。仮受水タンク１７内が所定の水量に達するとボールタップ弁１８が閉じ、また水量が減るとボールタップ弁１８が開き、こうして仮受水タンク１７内を所定の水量に保持する。その後、加圧ポンプ２２を運転して加圧送水装置１４を作動すると、仮受水タンク１７内の水は加圧されながら立給水管側配管２１を介して立給水管２へと送水される。このとき、建物１の最上階の枝管６ａでの水圧が５気圧以上であれば良いので、加圧送水装置１４は比較的小型なものとすることができる。
【００１４】
一方、圧縮空気送り込み装置１１側においては、止水弁７ａを開き、先ず、任意階の家庭用蛇口の一つを開き、他の家庭用蛇口を閉じて圧縮空気送り込み装置１１を作動する。すると、立給水管２内には加圧送水装置１４から水圧が加えられているので、圧縮空気送り込み装置１１から送り込まれた圧縮空気は、水が満たされている立給水管２および枝管６ａ〜６ｎの給水管内を効果的に上昇移動し、開放されている一つの家庭用蛇口から大気中に放出される。このときの圧縮空気と水との混合物が立給水管２および枝管６ａ〜６ｎ内壁に衝突して同部が洗浄される。その後、他の家庭用蛇口を開き、開放されていた一つの家庭用蛇口を閉じ、これらを順次繰り返して行なうことにより、立給水管２および枝管６ａ〜６ｎ内の洗浄を行なうと共に、取り除いた赤錆等を各家庭用蛇口９ａ〜９ｎから排出することができる。
【００１５】
このようにして、立給水管２および枝管６ａ〜６ｎ内の洗浄を圧縮空気によって行なうため、立給水管２および枝管６ａ〜６ｎ内に異物を残留させることなく衛生的である。しかも、加圧送水装置１４によって立給水管２内に水圧を加えると共に給水しているので、圧縮空気送り込み装置１１から送り出した圧縮空気によって水道本管５側に逆流させることなく、水が満たされている立給水管２側に圧縮空気を効果的に送り込むことができる。また、上述した実施の形態では、最下階に位置する枝管６ａの家庭用量水器８ａを取り外し、その取り外し部に圧縮空気送り込み装置１１を接続したが、上方階に位置した他の家庭用量水器８ｂ〜８ｎを取り外し、その取り外し部に圧縮空気送り込み装置１１を接続したり、家庭用量水器８ａの位置からの洗浄作業の終了後に、中間階における家庭用量水器を取り外し、その取り外し部に圧縮空気送り込み装置１１を再度接続し、同様の洗浄作業を繰り返し、こうして複数箇所からの洗浄を実施することもできるので、圧縮空気送り込み装置１１としては小型のものにすることができる。
【００１６】
尚、圧縮空気送り込み装置１１は、立給水管２に断続的に圧縮空気を送り込むことができる他の部分、例えば、図２の立給水管側配管２１の左端に接続しても良い。
【００１７】
【発明の効果】
以上説明したように本発明による直圧式給水装置の給水管内部洗浄方法は、加圧送水装置を運転して立給水管に加圧水を送り込みながら、圧縮空気送り込み装置を作動して圧縮空気送り込み装置から立給水管に圧縮空気を送り込むようにしたため、圧縮空気送り込み装置からの圧縮空気を水道本管側に逆流させることなく、確実に立給水管側に送り込むことができ、効率的な内部洗浄を行なうことができる。
【図面の簡単な説明】
【図１】本発明の一実施の形態による直圧式給水装置の給水管内部洗浄方法を採用した作業途中状態の直圧式給水装置を示す側面図である。
【図２】図１に示した直圧式給水装置の他の要部を示す拡大側面図である。
【図３】本発明を適用する直圧式給水装置の側面図である。
【符号の説明】
２  立給水管
３  親量水器
５  水道本管
６ａ〜６ｎ  枝管
８ａ〜８ｎ  家庭用量水器
９ａ〜９ｎ  蛇口
１１  圧縮空気送り込み装置
１４  加圧送水装置
１７  仮受水タンク
２２  加圧ポンプ
【図１】
0003545924.tif 000002
【図２】
0003545924.tif 000003
【図３】
0003545924.tif 000004